【事件の表示】
　特許第２９８５０２５号「パチンコ機」の請求項１ないし５に係る特許に対する特許異議の申立てについて、次のとおり決定する。
【結　論】
　訂正を認める。
　特許第２９８５０２５号の請求項１乃至４に係る特許を維持する。
【理　由】
１.手続の経緯
　特許第２９８５０２５号の請求項１ないし請求項５に係る発明は、平成３年３月１２日に出願された特願平３−１２５６４３号に係り、平成１１年１０月１日にその特許権の設定登録がされ、その後、細江裕実より特許異議の申立てがなされ、取消理由が通知され、その指定期間内である平成１２年１１月７日に訂正請求がなされたものである。
２.訂正の適否について
(2-1)訂正の内容
［訂正事項１］
　特許明細書の【特許請求の範囲】の【請求項１】の「蝶着部を介して前枠の一側縁に回動自由に蝶着されて該前枠の背後に付設される機構枠体にあって、該機構枠体は賞球装置、賞球通路等の賞球系統の諸設備を収める部分、前記賞球装置を制御する機構部品を収容する部分、及び前記機構部品に接続するリード線を収納する配線収納部分を有すると共に、前記賞球通路は機構枠体に施される導電部に臨み、また前記機構枠体は帯電防止されていることを特徴とするパチンコ機。」を、『蝶着部を介して前枠の背後に設けられる機構板の背面の一側縁に回動自由に蝶着されて前記前枠の背後に付設される機構枠体にあって、該機構枠体は賞球装置、賞球通路等の賞球系統の諸設備を収める部分と、前記賞球装置を制御する機構部品を収納する部分と、前記賞球装置を制御する前記機構部品に接続するリード線を収納する配線収納部分とを有すると共に、前記賞球通路は前記機構枠体に施される導電部に臨み、また前記機構枠体は帯電防止されていることを特徴とするパチンコ機。』と訂正する。
［訂正事項２］
　同明細書の【請求項３】を、削除する。
［訂正事項３］
　同明細書の【請求項４】を、「【請求項３】請求頃１又は２に記載のパチンコ機において、配線収納部分には賞球を計数する検出スイッチのリ一ド線を収納することを特徴とするパチンコ機。」
に訂正する。
［訂正事項４］
　同明細書の【請求項５】を、「【請求項４】請求項１乃至３に記載のパチンコ機において、機構枠体は少なくとも一部を導電性の合成樹脂で成形し、該部分と蝶着部とを導通させてなることを特徴とするパチンコ機。」
に訂正する。
［訂正事項５］
　同明細書第５頁第１３行目（特許公報第３頁左欄第３１〜３２行目）の「ベース板１４」を、「ベース板８」と訂正する。
(2-2)訂正の目的の適否、新規事項の有無及び拡張・変更の存否
　訂正事項１の「前枠の一側縁に回動自由に蝶着されて該前枠の背後に付設される機構枠体にあって」を、「前枠の背後に設けられる機構板の背面の一側縁に回動自由に蝶着されて前記前枠の背後に付設される機構枠体にあって」とする訂正は、前枠の背後に付設される機構枠体の蝶着する対象を具体化し、特定して取付関係を明確にすると共に、機構枠体と機構板とが別体のものであってこの両者が同一のものであると誤認されるのを解消しようとした不明りょうな記載の釈明及び特許請求の範囲の減縮を目的とするものに該当し、「諸設備を収める部分、」、「機構部品を収納する部分、」、「配線収納部分を有する」を、「諸設備を収める部分と、」、「機構部品を収納する部分と、」、「配線収納部分とを有する」とする訂正は、諸設備を収める部分、機構部品を収納する部分、配線収納部分の三者があることを「、」、「、及び」、「を」に、それぞれ「と」を加入して一層明確にしようとしたものであり、不明りょうな記載の釈明を目的とするものに該当し、「前記機構部品に」を「前記賞球装置を制御する前記機構部品に」とする訂正は、訂正前の請求項３に記載の「配線収納部分には賞球装置の機構部品のリード線を収容する」との事項を取込み、ここにおける「機構部品」を特定し、限定したものであり、特許請求の範囲の減縮を目的とするものに該当する。
　　
　訂正事項２〜４において、訂正前の請求項３の削除は、訂正前の請求項１に同一内容を加入訂正し、訂正後の請求項１としたことに伴うものであり、この訂正前の請求項３を削除したことに伴って、訂正前の請求項４を請求項３に、訂正前の請求項５を請求項４に各繰り上げ訂正した。この訂正のうち請求項３の削除は特許請求の範囲の減縮を目的としたものであり、請求項３、４の各繰上げは単なる請求項の番号の整理であり、実質的変更はない。
  訂正事項５の訂正は、誤記である「１４」を「８」と訂正するものであるから、誤記の訂正を目的とするものに該当する。
　     
　そして、これら訂正事項１ないし訂正事項５の訂正は、願書に添付した明細書、又は図面に記載された事項の範囲内において訂正するものであって新規事項を追加するものでなく、かつ、実質上特許請求の範囲を拡張、又は変更するものではない。
(2-3)むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項の規定に適合するので、当該訂正を認める。　
３.特許異議申立てについて
(3-1)申立ての理由の概要
　本件の訂正前の請求項１ないし請求項５に係る発明は、その出願前に頒布された甲第１号証乃至甲第３号証に記載された発明に基いて当業者が容易に発明をすることができたものであり、特許法第２９条第２項の規定に違反して特許されたものである。
　また、本件の訂正前の請求項１及びそれを引用した請求項２乃至５に係る発明の特許は特許法第３６条第４項、第５項第１号に規定する要件を満たしていない特許出願に対してなされたものである。　
(3-2)　本件の請求項１ないし請求項４に係る発明
　本件の請求項１ないし請求項４に係る発明は、訂正明細書の特許請求の範囲の請求項１ないし請求項４に記載された事項により特定される次のとおりのものである（請求項５は訂正明細書により削除された）。
【請求項１】（前記２の「（２−１）訂正の内容」の欄に［訂正事項１］として記載した請求項１を参照。）
【請求項２】「請求項１に記載のパチンコ機において、蝶着部は金属製であることを特徴とするパチンコ機。」
【請求項３】「請求頃１又は２に記載のパチンコ機において、配線収納部分には賞球を計数する検出スイッチのリ一ド線を収納することを特徴とするパチンコ機。」
【請求項４】「請求項１乃至３に記載のパチンコ機において、機構枠体は少なくとも一部を導電性の合成樹脂で成形し、該部分と蝶着部とを導通させてなることを特徴とするパチンコ機。」
(3-3)引用刊行物
　甲第１号証：特開昭６１−２９３７７号公報
　甲第２号証：実願昭６３−４８５４号（実開平１−１１０７７９号）のマイクロフィルム
　甲第３号証：特開平１−２８４２７８号公報
(3-4)刊行物に記載された発明
　甲第１号証（特開昭６１−２９３７７号公報）には、
 「（１)  パチンコ玉を導く玉通路と遊技制御に用いられる電子回路とを含む、パチンコ玉を打球して遊技する弾球遊技機において、前記玉通路の少なくとも一部に、前記パチンコ玉と接するように設けられた導電性部材と、前記導電性部材に電気的に接続され、該導電性部材の電位を逃がすアース手段とを設けたことを特徴とする、弾球遊技機。
（２）前記玉通路は、樹脂で作られている、特許請求の範囲第１項記載の弾球遊技機。
（３）前記玉通路は、前記弾球遊技機の裏面側に設けられている、特許請求の範囲第２項記載の弾球遊技機。
（４）前記玉通路は、多量のパチンコ玉が通る通路である、特許請求の範囲第３項記載の弾球遊技機。
（５）前記玉通路は、その一部に前記パチンコ玉を一時貯留する玉貯留部を有する、特許請求の範囲第４項記載の弾球遊技機。
（６）前記玉通路は、その一部に前記パチンコ玉を垂直下方に落下させる垂直通路を含み、前記垂直通路に沿って垂直下方に落下するパチンコ玉を受けるように、前記導電性部材が設けられている、特許請求の範囲第４項または第５項記載の弾球遊技機。
（７）前記導電性部材は、鉄板である、特許請求の範囲第１項ないし第６項のいずれかに記載の弾球遊技機。
（８）前記導電性部材は、カーボンを含有する導電性の樹脂である、特許請求の範囲第１項記載の弾球遊技機。
（９）前記導電性部材は、カーボンを含有する導電性の樹脂である、特許請求の範囲第２項ないし第６項のいずれかに記載の弾球遊技機。
（１０）前記導電性部材は、前記玉通路と一体的に形成されている、特許請求の範囲第９項記載の弾球遊技機。」（第１頁左欄第５行〜第２頁左上欄第１行）、
「玉通路でパチンコ玉、とりわけ多数のパチンコ玉同士がぶつかり、あるいはパチンコ玉と玉通路壁面とがぶつかると、静電気が発生し、パチンコ玉を静電気を帯びる。しかし、静電気を帯びたパチンコ玉が玉通路を通過する際に、パチンコ玉が該通路の少なくとも一部に設けられた導電性部材に接触し、パチンコ玉が帯びた静電気はその導電性部材によって奪われ、アース手段を介して逃がされる。よって、パチンコ玉は、放電するほどの高い電位の静電気を帯びることがなくなり、電子回路基板への放電も防止できる。」（第２頁右下欄第８行〜第１８行）、
「前面枠１２は、その正面から見て左端上下に取付金具１３が固定され、この取付金具１３と外枠１１に固定された取付金具１３とが係合して、前面枠１２は外枠１１に対して開閉自在にされている。この前面枠１２には、図においてその背面の一部だけが見えている遊技盤１４が着脱自在に取付けられている。」（第３頁左上欄第１０行〜第１６行）、
「遊技盤１４の裏面側には、まず、上記入賞孔やアウト孔を通って遊技盤１４の正面側から背面側へくるパチンコ玉を導くための第１の機構板２０ａが取付けられている。」（第３頁右上欄第１２行〜第１５行）、
「第１の機構板２０ａの背面上部には、玉タンク１６が取付けられている。この玉タンク１６は、図示しないパチンコ玉補給樋から補給されるパチンコ玉を貯留するためのものである。玉タンク１６はその底面に傾斜がつけられていて、傾斜がつけられた底面の最下方部には賞球供給樋１７が連結されている。賞球供給樋１７も、第２図に示すように、斜めに傾斜がつけられて配置されており、その下流端には賞球供給装置１８が連結され、さらにその下側に第２の機構板２０ｂが設けられている。これら玉タンク１６、賞球供給樋１７、賞球供給装置１８および第２の機構板２０ｂは、第１の機構板２０ａの背面上に積層して取付けられている。そして、これら玉タンク１６、賞球供給樋１７、賞球供給装置１８および第２の機構板２０ｂは樹脂で構成されている。」（第３頁左下欄第２行〜第１７行）、
「第２の機構板２０ｂの内部は、多量のパチンコ玉を所定の場所に導くために多くの仕切で仕切られていて、賞球供給装置１８から排出されるパチンコ玉を導く賞球排出通路２０１、パチンコ遊技機１０の正面側の賞球払出口（図示せず）や余剰球払出口（図示せず）へパチンコ玉を導く連絡通路２０２、２０３やパチンコ玉を垂直に落下させる垂直通路２０４等が形成されている。また、賞球感知板２０５や入賞球処理器２０６が備えられている。」（第３頁右下欄第２行〜第１１行）、
「玉タンク１６の壁面および垂直通路２０４の壁面に、それぞれ導電性部材である鉄板３１およびＬ形鉄板４１が取付けられている。そして、鉄板３１にはリード線３２の一端が接続され、このリード線３２の他端は木ねじ３３を介して外枠１１に接続されている。また、垂直通路２０４に取付けられたＬ形鉄板４１には、リード線４２の一端が接続され、このリード線４２の他端は取付金具１３と接続されている。」（第４頁左上欄第８行〜第１７行）、
「上記実施例の説明では、鉄板３１、Ｌ形鉄板４１および賞球感知板６４は、ともに鉄板であったが、他の導電性材料、たとえば銅等で構成してもよい。また、樹脂に炭素（カーボン）を含有させた炭素樹脂や、あるいは炭素繊維等は導電性を有することが知られているので、このような材料によって上述の鉄板３１等の代わりとしてもよい。また、カーボンを含有する樹脂で導電性部材を構成する場合、玉タンク１６や第２の機構板２０ｂと導電性部材とを一体的に形成してもよい。さらに、上記説明では、導電性部材は、玉通路の一部に設けたが、玉通路全体を導電性部材とし、パチンコ玉の静電気を除去することもできる。」（第５頁左上欄第１９行〜右上欄第１２行）
と記載されている。
　甲第２号証（実願昭６３−４８５４号（実開平１−１１０７７９号）のマイクロフィルム）には、
  「１．遊技盤の裏面に回動自在に装着され、その遊技盤の裏面に対応する面に回路基板を収納した基板ボックスを露出するための開口部が形成された機構板において、前記開口部の周縁に沿った機構板の裏面に枠片を突出状に設け、該枠片と側面Ｌ状の枠部材とにより中空状の配線収納部を形成するようにしたことを特徴とするパチンコ機の機構板における配線収納部構造。
２．枠片に係止突起を設けると共に該枠片と対向状に係止孔を穿設した突片を機構板に設け、枠部材には枠片の係止突起に係合する係合凹部と突片の係止孔に係合する外向係止爪を設け、該外向係止爪を係止孔に係止したのち係合凹部を係止突起に係合することによって枠部材を機構板に着脱自在に取付けるようにした請求項１記載のパチンコ機の機構板における配線収納部構造。
３．枠片の内側面に電線保持部を設けてなる請求項１，２記載のパチンコ機の機構板における配線収納部構造。
４．枠部材に機構板の開口部側へ突出する摘み片を設けてなる請求項１，２記載のパチンコ機の機構板における配線収納部構造。」（第１頁第６行〜第２頁第８行）、
「取付枠１２の一側に機構板１３が回動自在に装着される。機構板１３はプラスチックなどの合成樹脂材料で構成される。」（第５頁第１４行〜第１６行）、
「機構板１３は、遊技盤８の裏面から一定間隔で離れて対向する板状部１３ａを有し、その板状部１３ａにより内側に入賞球集合カバー１４が位置する空間部を形成している。また、板状部１３ａには入賞球集合カバー１４に対応する部分に開口部１５が形成されている。」（第５頁第１９行〜第６頁第５行）、
「開口部１５から露出する入賞球集合カバー１４の外側表面に前記変動入賞装置１０をあらかじめ定める遊技条件に基づいて駆動制御するための回路基板を収納した基板ボックス１６を固着している。また、機構板１３の空間部の内側底部には、入賞球集合カバー１４から落下する入賞球を集合する入賞球集合部１７を形成している。機構板１３の裏面上方部には景品球タンク１８が配設される。景品球タンク１８の下方には該タンク１８内の景品球を導き出す経路１９が形成され、その流下端に景品球ケース２０が配設される。景品球ケース２０の下方には、放出された景品球を上部の球受皿５へ導くための景品球排出樋２１が形成される。また、前記入賞球集合部１７の出口部と連通状に入賞球排出処理２２が配設される。入賞球排出処理装置２２は、モータ２２ａの軸に固定した回転部材（図示せず）の回転により入賞球集合部１７に集められた入賞球を１個づつ受けて景品球ケース２０を作動し、一定数の景品球を景品球排出樋２１へ放出する。前記径路１９の上流端に底部を構成する検知板２３が回動自在に設けられており、景品球タンク１８内の景品球が減少して球切れを生じるとこれが上方へ回動して球切れ検知用スイッチ２４をＯＮし、ランプ表示等の手段によってその旨を遊技客に報知する。」（第６頁第７行〜第７頁第１２行）、
「機構板１３の裏面右上隅には入出力基板２９が設けられている。また、機構板１３の裏面下方部には満タン打止用スイッチ２８等から出ているリード線の差込端子を備えた中継基板３０が設けられている。」（第７頁第１８行〜第８頁第２行）、
「枠片３１の内側には、電線保持部３３が形成される。この電線保持部３３は、側面から見てＬ形に形成される。また、機構板１３の裏面には枠片３１と所定の間隔をあけて対向状に複数の突片３４を突設し、該突片３４には係止孔３５を穿設している。突片３４は枠片３１と同じ高さかまたはそれより低くく形成される。３６は前記枠片３１の上下辺及び左辺にそれぞれ対応する長さに形成された枠部材で、この枠部材３６は、合成樹脂材料より蓋板部３６ａ及び側板部３６ｂからなる側面Ｌ状に形成される。この枠部材３６の蓋板部３６ａには、枠片３１の係止突起３２に対応する位置に係合凹部３７が形成される。また、開口部１５側へ突出する摘み片３８が形成される。また、枠部材３６の側板部３６ｂには、突片３４の係止孔３５に対応する位置に外向係止爪３９が形成される。また、適当な個所に電線挿通用の開口４０が形成される。そして、この枠部材３６を機構板１３の裏面に取付けることによって、枠片３１と枠部材３６とにより開口部１５の周縁に中空状の配線収納部４１が形成される。枠部材３６を機構板１３に取付けるには、次のごとく取付けられる。まず、枠部材３６の外向係止爪３９を係止孔３５に係止させ、次いで係合凹部３７を係止突起３２の頂部テーパーに当接させて押圧し段部３２ａにパチンと係合させる。この状態が第５図に示される。これによって、枠部材３６が機構板１３に着脱自在に取付けられると同時に中空状の配線収納部４１が形成されるのである。尚、中継基板３０、球切れ検知用スイッチ２４等各種の電気部品から出ているリード線を配線収納部４１に収める場合、あらかじめリード線を枠片３１の配線保持部３３に保持させておけば、これらリード線がばらけたりすることがなく枠部材３６の取付けが容易にできる。また、枠部材３６を取外す場合は、摘み片３８を持って係合突起３２の係合を外すことによって簡単に行ない得る。」（第８頁第９行〜第１０頁第４行）、
「請求項１の配線収納部構造においては、機構板には枠片と係止孔を有する突片を形成すれば足りるので、成形時の型離れが良好となり、生産性の向上に役立つ。請求項２の配線収納部構造においては、枠部材を機構板に対して容易に着脱でき、それによって配線収納部がワンタッチ操作でもって形成することができる。請求項３の配線収納部構造においては、電線保持部にリード線を保持させることによって、配線収納部へのリード線の収納が容易にできる。請求項４の配線収納部構造においては、枠部材の着脱が容易にできる。」（第１０頁第８行〜第２０行）
と記載されている。
　甲第３号証（特開平１−２８４２７８号公報）には、
「次に、第２図を参照してパチンコ機１の背面の構造について説明すると、前記前面枠２は、箱枠状に形成された外枠２２にー側を軸支されて開閉自在に形成されている。すなわち、外枠２２の上下２箇所に設けられた軸受金具２３ａ、２３ｂ（ただし、２３ｂは、図示せず）に、前面枠２の上下に設けられた支持金具２４ａ、２４ｂ（ただし、２４ｂは、図示せず）を軸支することにより、開閉自在に設けられている。なお、この外枠２２は、前面枠２と同様にベニヤ板によって形成されている。」（第３頁左上欄第１２行〜右上欄第２行）、
「前記遊技盤６の裏面のほぼ全域を覆うように機構板３５が設けられている。機構板３５は、周知のように、遊技盤６に設けられる入賞口や入賞装置から入賞した入賞球を１個宛処理して、それに相当する賞品球（例えば、１３個）を遊技者に払い出すための各種の機構が設けられている。より詳細に説明すると、機構板３５の前面側には、前記入賞球集合カバー３１を収納するとともに入賞球集合カバー３１から流下する入賞球が落下する入賞球集合空間３６が凹設され、その入賞球集合空間３６の最下部には、入賞球を図示しない入賞球処理機構に誘導する入賞球集合樋３７が突設されている。また、機構板３５の後面側には、多量の賞品球を貯留する賞品球タンク３８や、該賞品球タンク３８から所定個数（例えば、１３個）の賞品球を受け入れて、入賞球処理機構の動作に連動して、その受け入れた所定個数の賞品球を排出する賞品球排出装置３９や、該賞品球排出装置３９から排出された賞品球を前記上皿１９又は下皿２１に誘導する賞品球排出通路４０等が形成されている。」（第３頁右下欄第３行〜第４頁左上欄第３行）、
「また、機構板３５のー側側面には、金属製の支持金具４３ａ、４３ｂが突設して取着されており、この支持金具４３ａ、４３ｂに下向きに突設された支軸ピン４４ａ、４４ｂを第１図に示すように前記軸受金具２９ａ、２９ｂの軸受穴３０ａ、３０ｂに遊嵌することにより、機構板３５を遊技盤固定枠２５に対して開閉自在に軸支している。以上、説明した機構板３５は、入賞球や賞品球が通過したり、あるいは衝突したりするため、静電気を帯電し易く、特に機構板３５が合成樹脂で形成されているため、帯電している状態のパチンコ球からの静電気が伝導され、それが帯電して高い電位状態となる場合もある。しかして、機構板３５に帯電した静電気を移動し易くするために、合成樹脂の中にカーボン粉末を混入して成型されるのが一般的である。」（第４頁左上欄第１２行〜右上欄第７行）、
「パチンコ機１を組み立てた状態では、前面枠２と遊技盤固定枠２５と外枠２２とが亜鉛薄膜４５によって電気的に接続された状態となっている。したがって、機構板３５に帯電した静電気は、ヒンジとしての支持金具４３ａ、４３ｂ及び軸受金具２９ａ、２９ｂを介して遊技盤固定枠２５、前面枠２、及び外枠２２へ順次伝達して、パチンコ機１全体に素早く分散されることになる。」（第４頁右上欄第１２行〜第２０行）
と記載されている。
(3-5)当審の判断
　(3-5-1)特許法第２９条第２項の規定違反について
　本件の請求項１に係る発明と上記甲第１号証記載の発明とを対比すると、甲第１号証記載の発明は、賞球通路が導電部に臨んでいるパチンコ機である点で本件の請求項１に係る発明と一致しているが、本件の請求項１に係る発明が具備する、機構枠体が、賞球装置、賞球通路等の賞球系統の諸設備を収める部分と、前記賞球装置を制御する機構部品を収納する部分と、賞球装置を制御する前記機構部品に接続するリード線を収納する配線収納部分とを有する点も、蝶着部を介して前枠の背後に設けられる機構板の背面の一側縁に回動自由に蝶着される点も、導電部が施されることも帯電防止されている点も具備していない。　
　又、かかる点は、前枠の背後に蝶着部を介して設けられた機構板の開口部に沿って形成される配線収納部構造を記載した甲第２号証あるいはパチンコ機の枠に亜鉛薄膜を被覆して機構板に帯電した静電気を分散させ制御回路基板に悪影響を及ぼさないことを記載した甲第３号証のいずれにも記載されていない。
　なお、甲第２号証に設けられたリード線の収納部は機構板の背面に単独で形成されたものであり、賞球系統の諸設備を収める部分や機構部品を収容する部分と共に機構枠体に形成されたものではなく、又ノイズ防止策も施されていない。
　したがって、本件の請求項１に係る発明は、甲第１号証及び甲第３号証に記載された発明に基いて当業者が容易に発明をすることができたものではなく、上記甲第１号証及び甲第３号証に記載のない上記の構成によって明細書記載の効果を奏するものである。
　本件請求項２乃至請求項４に係る発明は、それぞれ、請求項１に係る発明、請求項２に係る発明又は請求項３に係る発明を技術的に限定したものであり、請求項１に係る発明が、甲第１号証乃至甲第３号証に記載された発明に基いて当業者が容易に発明をすることができたものではない以上、本件請求項２乃至請求項４に係る発明は、甲第１号証乃至甲第３号証に記載された発明に基いて当業者が容易に発明をすることができたものではない。
　(3-5-2) 特許法第３６条第４、５項の規定違反について
　訂正前の本件請求項１に係る発明において、請求項１の「蝶着部を介して前枠の一側縁に回動自由に蝶着されて該前枠の背後に付設される機構枠体」の記載では何が何に蝶着されるのか不明りょうであったが、請求項１が「蝶着部を介して前枠の背後に設けられる機構板の背面の一側縁に回動自由に蝶着されて前記前枠の背後に付設される機構枠体」と特定されたことにより、前枠、機構板、機構枠体の関係が明確になり、前枠に蝶着部を介して機構板が設けられ、その機構板に機構枠体が蝶着されることが明りょうとなった。
　明細書第５頁第１３行（公報第３頁左欄第３１〜３２行目）の「ベース板１４」が「ベース板８」と訂正されたことにより縁枠とベース板の関係が明確となった。　　
　そうしてみると、本件の請求項１乃至請求項４に係る発明の特許は、特許法第３６条第４、５項に規定する要件を満たしていない特許出願に対してなされたもの、ということができない。
(3-6)むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年２月７日（２００１．２．７）
【訂正の要旨】
［訂正事項１］
　特許明細書の【特許請求の範囲】の【請求項１】の「蝶着部を介して前枠の一側縁に回動自由に蝶着されて該前枠の背後に付設される機構枠体にあって、該機構枠体は賞球装置、賞球通路等の賞球系統の諸設備を収める部分、前記賞球装置を制御する機構部品を収容する部分、及び前記機構部品に接続するリード線を収納する配線収納部分を有すると共に、前記賞球通路は機構枠体に施される導電部に臨み、また前記機構枠体は帯電防止されていることを特徴とするパチンコ機。」を、『蝶着部を介して前枠の背後に設けられる機構板の背面の一側縁に回動自由に蝶着されて前記前枠の背後に付設される機構枠体にあって、該機構枠体は賞球装置、賞球通路等の賞球系統の諸設備を収める部分と、前記賞球装置を制御する機構部品を収納する部分と、前記賞球装置を制御する前記機構部品に接続するリード線を収納する配線収納部分とを有すると共に、前記篭球通路は前記機構枠体に施される導電部に臨み、また前記機構枠体は帯電防止されていることを特徴とするパチンコ機。』と訂正する。
［訂正事項２］
　同明細書の【請求項３】を、削除する。
［訂正事項３］
　同明細書の【請求項４】を、【請求項３】に訂正する。
［訂正事項４］
　同明細書の【請求項５】を、【請求項４】に訂正する。
［訂正事項５］
　同明細書第５頁第１３行目（特許公報第３頁左欄第３１〜３２行目）の「ベース板１４」を、「ベース板８」と訂正する。
（５４）【発明の名称】
　パチンコ機
（５７）【特許請求の範囲】
　　【請求項１】　蝶着部を介して前枠の
背後に設けられる機構板の背面の
前記
と
と、前記賞球装置を制御する
と
前記
　　【請求項２】　請求項１に記載のパチンコ機において、蝶着部は金属製であることを特徴とするパチンコ機。
　　【請求項３】　請求項１又は２に記載のパチンコ機において、配線収納部分には賞球を計数する検出スイッチのリード線を収納することを特徴とするパチンコ機。
　　【請求項４】　請求項１乃至３に記載のパチンコ機において、機構枠体は少なくとも一部を導電性の合成樹脂で成形し、該部分と蝶着部とを導通させてなることを特徴とするパチンコ機。
【発明の詳細な説明】
　　　【０００１】
　　【産業上の利用分野】
　本発明は、パチンコ機の賞球並びにセーフ球を制御する機構部品を格納する機構枠体の改良に関する。
　　　【０００２】
　　【従来の技術】
　周知の様にパチンコ機は、打球発射装置から打出された球が遊技板に設けるセーフ球受口に飛入した場合、この球をセーフ球としてカウントし、所定数の賞球を遊技者に放出する一方、セーフ球とならなかった球をアウト球として回収し、球の出し入れの関係においてゲームを成立させるものとなっているが、セーフ球のカウント、賞球の放出操作は遊技板の背後、具体的には遊技板を収める機構板の背面に備える機構部品類で行っている。
　現在この機構部品類は機構板の背面に直接取付けられているものもあるが、製造組立の関係、或いは保守点検の関係等から機構部品類をユニット化して予め系統別の部品類を纏めて組立時に複数種の部品を一度に組付ける方法が実施されている。
　この機構部品類のユニット化の一方法として合成樹脂を素材に部品類を組込む枠体、即ち機構枠体を形成し、枠体の製造時に所定の球通路を形成すると同時に賞球装置やセーフ球検出器等を組込む取付部を一体形に形成することが行われている。このため部品の取付位置が特定され、しかも部品相互の関係が正確に定まることから精度の高い組立が可能となり、且つ容易迅速に組立られるものとなっている。
　しかし、その反面合成樹脂を素材として製造されることから内部に設けられる球通路を通してパチンコ球が落下すると静電気が発生し、これが機構枠体に帯電してこの内部に配線されるリード線等を通して検出機器類に悪影響を与える問題がある。
　従来、これらの問題を解決する方策としてアースを設備する方法、或いは導電性の合成樹脂を材料とすることによって回避する方法等が提案されており、前者の例として実開昭６０−１３１７４号公報、実開平２−１３５７６号公報等、後者の例として実公平２−４４７９３号公報等の提案があることが挙げられる。
　　　【０００３】
　　【発明が解決しようとする問題点】
　しかし、上述従来の解決手段は未だ充分ではなく、機構枠体内部に配線されるリード線に静電気が作用し、誤カウントしたり、誤作動する危険があり、これを完全に回避できない問題があった。
　本発明は、これら合成樹脂を素材に成形される機構枠体に帯電する静電気からリード線を守りノイズの発生を防止すべく発明されたものである。
　　　【０００４】
　　【問題点を解決するための手段】
　本発明は、上述の目的に基づきなされたもので、特に本発明は機構枠体の基礎を構成するベース板を導電性の合成樹脂を素材にして成形する一方、このベース板を電気的遮蔽板にしてその両面に賞球、セーフ球を誘導する球通路を形成する第１室と、機構部品類を格納する第２室とを振り分けて設け、更にこの第２室の一面にリード線を収容する第３室を設けて前記第１室との間に第２室を介在させ球通路において発生する静電気が第３室に影響するのを回避したことにある。
　更にこれを詳述すれば、本発明は前枠の背後に設けられる機構板の背面の一側縁に回動自由に蝶着され付設される機構枠体であって、該機構枠体のベース板を導電性の合成樹脂を素材に成形し、その一面に賞球装置、賞球放出通路、球抜き通路等の賞球系統の諸設備及びセーフ球通路、セーフ球検出器等のセーフ球検出系統の諸設備を収める第１室を形成し、他面に前記賞球装置の開閉動を制御する機構部品を収納する第２室を形成する一方、該第２室の一面に前記賞球装置の機構部品に接続するリード線や、賞球放出箇数の計数器、セーフ球計数器、待機球を検出する検出器のリード線類を収納する第３室を形成し機構枠体を三層構造としたことを特徴とするパチンコ機を提供することにある。
　　　【０００５】
　　【作用】
　本発明は、上述の様に構成され、静電気の発生源となる第１室、つまり球通路とリード線を収容する第３室の間に電気的遮蔽板となるベース板が介在し、且つ機構部品を収納する第２室が介在して距離的に離隔することから静電気の影響からリード線を守ることができる。
　次に、この発明を図示する実施例につき詳述する。
　　　【０００６】
　　【実施例】
　図１は本発明の使用状態を示した正面図で、図２は上図の要部の拡大横断平面図、図３は図２のＩＩＩ−ＩＩＩ線に沿った縦断正面図、図４は同じくＩＶ−ＩＶ線に沿った縦断正面図であり、図５は要部の縦断左側面図である。
　　　【０００７】
　図中１は中央部に窓２を開設し額縁形に形成される前枠で、３はこの前枠の背面に上記窓２を背後から塞ぐように固定される機構板である。
　　　【０００８】
　機構板３は金属板を以て浅い筐形に形成してあり、前枠１の窓２を通して持ち込まれる遊技板４を内部前面に着脱自由に固定し、その前面を窓２から覗かせるようにしてあり、背面の上部には賞球の貯留タンク５、このタンクに接続させて賞球誘導樋６を設け、この賞球誘導樋６の先端を本発明に係る機構枠体７の上部に臨ませてある。
　　　【０００９】
　機構枠体７は図１に示す如く機構板３の背面一側縁に沿って縦長に付設される部分７ａと、この部分の下端から水平方向に直角状に建設される部分７ｂからなり、部分７ａには賞球装置が、また部分７ｂにはセーフ球検出機が設備される。
　　　【００１０】
　この機構枠体７は中心に配される略Ｌ字形をなすベース板８を中心に構成されており、その一面（パチンコ機本体からみて後面）には賞球を貯留し賞球時に放出する賞球装置の賞球貯留部９、賞球の放出を制御する上下のストッパー部材１０，１１等を収める枠部分１２が一体に設けられ第１室１３を形成している。そして、他面側には周縁部に沿って縁枠１４を全周に亘って起立し、一面を開放した筐形に形成すると共にその内部を前後に２分する如くケース１５を収め第２室１６と第３室１７を設け、第２室１６には賞球装置の駆動部品類１８を、そして第３室１７には賞球装置のソレノイドのリード線やセーフ球検出器のリード線等１９をそれぞれ収めるようにしてある。
　　　【００１１】
　図３は第１室の内部を示したもので、蛇行した筒状に形成される賞球装置の貯留部９は下部９ａを支軸２０を支点に揺動可能にして常時は下方のストッパー１１に臨んで賞球を貯留し、放出指示に従ってストッパー１１が開放したとき、溝車の回転によって賞球放出樋２１に賞球を放出できるようにしてある。そして球抜き時には支軸２０を支点に下端を真下に揺動させて球抜き樋２２に接続し、貯留部９を通して貯留タンクに貯留される賞球を機外に放出できるようにしてある。
　　　【００１２】
　図４は第２室１６の内部を示しており、ここには賞球装置の駆動機構となるソレノイド２３、ソレノイドの励磁に伴って前記上下のストッパー１０，１１を停止、作動せしめる連動杆２４、係止爪２５、減速歯車２６等の駆動部品類１８が収められている。
　　　【００１３】
　第３室１７は左右を縁枠１４によって囲まれ上下方向に抜けており、この内部には前記ソレノイド２３のリード線１９を始めとして、ストッパー１１の回転を検出して通過賞球を計数する検出スイッチのリード線やセーフ球の球寄せ室２７によって集められ機構枠体の部分７ｂ内に備えられるセーフ球通路中に臨み、ここを通過するセーフ球を検出するスイッチのリード線、更には前記賞球貯留部９に賞球誘導路６からの賞球を導き入れる通路部２８に臨んで待機球を検出するスイッチ２９のリード線等のコード類が収められる。
　　　【００１４】
　ところで、上述したように各部品類を区分けして収める機構枠体７は全体を合成樹脂を素材にして成形されるが、このうち特にベース板８はその周縁部に沿って設ける縁枠１４と共に導電性の合成樹脂、例えばポリオレフィン系カーボン複合樹脂を素材にして成形する。そしてこの実施例では縁枠１４を介して蝶着し、ベース板
８
　　　【００１５】
　尚、図中３１は機構枠体７の一側縁に一体に連設し前記セーフ球の球寄せ室２７を背後から被うカバーであり、３２は機構枠体を閉じるロックである。
　　　【００１６】
　本発明パチンコ機は上述の様に構成されるもので、機構枠体７は常時はロック３２によって閉じられ機構板３の背面に接面し、第３室１７の開放面を閉じると共にカバー３１によって遊技板の球寄せ室２７を被うことになる。そして、第１室に設けた賞球貯留部９は通路部２８を介して賞球誘導路６に連通し、貯留タンク５から賞球の供給を受けることになる。
　　　【００１７】
　この状態においてセーフ球が飛入し、球寄せ室２７を通してセーフ球通路においてこれが検出スイッチにより検出されると、第２室１６に備えるソレノイド２３が励磁して機構部品を作動させ上のストッパー１０を止める一方、下のストッパー１１を開放して貯留部９の賞球を賞球放出通路２１を通して遊技機前面に備える図示しない賞球皿に放出することになる。そして、この間各部で検出した信号及び、この信号により出される指示信号は第３室１７に配線されるリード線を通して送られることになる。
　　　【００１８】
　　【発明の効果】
　以上説明の様に本発明は構成されるもので、機構枠体の賞球貯留部、賞球放出通路等を通して送られる賞球によって発生した静電気はベース板を通して放電され、帯電するのを防止することからこの機構枠体内部に配線されるリード線にノイズを与えることがなく各検出器の誤検出やソレノイドの誤作動を有効に回避することができる効果がある。
【図面の簡単な説明】
　　【図１】
　使用状態を示す正面図。
　　【図２】
　要部の拡大横断平面図。
　　【図３】
　図２のＩＩＩ−ＩＩＩ線に沿った縦断正面図
　　【図４】
　図３のＩＶ−ＩＶ線に沿った縦断正面図。
　　【図５】
　腰部の拡大縦断左側面図。
　　【符号の説明】
　１　　　　　　　前枠
　３　　　　　　　機構板
　７　　　　　　　機構枠体
　８　　　　　　　ベース板
　９　　　　　　　賞球貯留部
　１３　　　　　　第１室
　１６　　　　　　第２室
　１７　　　　　　第３室
　１８　　　　　　機構部品類
　１９　　　　　　リード線類